(57)【要約】      （修正有）【課題】保護パネル部材に光輝する意匠部があり、デザイン性が良好な表示装置を提供する。【解決手段】表示板１１は、指標部を有する。指針１２は、指標部を指示する。指針駆動部１３は、指針１２を回動させる。発光素子２２は、表示板１１を透過照明する照明光を発する。保護パネル部材４０は、表示板１１の前側に配設される。保護パネル部材４０は、表示板１１を透過した照明光によって透過照明される意匠部を有する。表示板１１は、照明光を通過させる開口部が形成された遮光層を有する。表示器３０は、指針１２の回動軸Ａ上に位置し、保護パネル部材４０に貼着されている。【選択図】図２
2018066595.tif 000002
【特許請求の範囲】
【請求項１】
指標部を有する表示板と、前記指標部を指示する指針と、前記指針を回動させる指針駆動部と、前記表示板を透過照明する照明光を発する発光素子と、前記表示板の前側に配設された保護パネル部材と、を備え、
前記保護パネル部材は、前記表示板を透過した前記照明光によって透過照明される意匠部を有することを特徴とする表示装置。
【請求項２】
前記表示板は、前記照明光を通過させる開口部が形成された遮光層を有することを特徴とする請求項１に記載の表示装置。
【請求項３】
前記保護パネル部材に貼着された表示器を更に備えたことを特徴とする請求項１または請求項２に記載の表示装置。
【請求項４】
前記表示器は、前記指針の回動軸上に位置していることを特徴とする請求項３に記載の表示装置。
【発明の詳細な説明】
【技術分野】
【０００１】
本発明は、指針式計器を備えた表示装置に関するものである。
【背景技術】
【０００２】
従来より、表示板及びこの表示板の前側に配設された保護パネル部材を備えた表示装置が種々提案されており、例えば特許文献１に開示されている。斯かる表示装置は、指針式計器及び液晶表示器を有しており、これらの指針式計器及び液晶表示器の前側には、平板形状の保護パネル部材が配設されている。保護パネル部材は透光性材料からなるものであり、指針式計器及び液晶表示器は保護パネル部材を透して視認される。
【先行技術文献】
【特許文献】
【０００３】
【特許文献１】特開２０１６−３５４２２号公報
【発明の概要】
【発明が解決しようとする課題】
【０００４】
しかしながら、上述した表示装置は、保護パネル部材に何も表示されないため、必ずしもデザイン性に優れたものではないという問題を有していた。
本発明は、この問題に鑑みなされたものであり、保護パネル部材に光輝する意匠部があり、デザイン性が良好な表示装置を提供するものである。
【課題を解決するための手段】
【０００５】
本発明は、指標部１１ａを有する表示板１１と、前記指標部１１ａを指示する指針１２と、前記指針１２を回動させる指針駆動部１３と、前記表示板１１を透過照明する照明光Ｌを発する発光素子２２と、前記表示板１１の前側に配設された保護パネル部材４０と、を備え、前記保護パネル部材４０は、前記表示板１１を透過した前記照明光Ｌによって透過照明される意匠部４０ｄを有することを特徴とする。
【０００６】
また、本発明は、前記表示板１１は、前記照明光Ｌを通過させる開口部１１ｆが形成された遮光層１１ｄを有することを特徴とする。
【０００７】
また、本発明は、前記保護パネル部材４０に貼着された表示器３０を更に備えたことを特徴とする。
【０００８】
また、本発明は、前記表示器３０は、前記指針１２の回動軸Ａ上に位置していることを特徴とする。
【発明の効果】
【０００９】
保護パネル部材に設けられた意匠部が、表示板を透過した照明光によって透過照明されるため、デザイン性に優れる表示装置となる。
【図面の簡単な説明】
【００１０】
【図１】本発明の実施形態を示す正面図。
【図２】同上実施形態を示す断面図。
【図３】同上実施形態を示す要部拡大図。
【図４】同上実施形態を示すブロック図。
【発明を実施するための形態】
【００１１】
以下、添付図面に基づいて、本発明を車両用表示装置に適用した一実施形態を説明する。なお、図３では、図面が煩雑になることを防止するため、インナーケース５０，ハウジング６０，枠体７０を省略している。
【００１２】
車両用表示装置は、指針式計器１０，回路基板２０，液晶表示器３０，保護パネル部材４０，インナーケース５０，ハウジング６０，枠体７０を備えている。指針式計器１０はエンジンの回転数を表示する回転計である。指針式計器１０は、表示板１１，指針１２，ステッピングモータ１３を有している。
【００１３】
表示板１１は、指針１２に指示される指標部１１ａを有している。表示板１１は、ポリカーボネート等の透光性材料からなる基材１１ｂの前面に、白色層１１ｃ及び遮光層１１ｄを印刷形成したものである。表示板１１の遮光層１１ｄには、開口部１１ｅ，１１ｆが設けられている。表示板１１は、インナーケース５０の前面に支持されている。
【００１４】
回路基板２０に搭載された発光素子２２が発した照明光Ｌは、開口部１１ｅ，１１ｆでは通過するが、遮光層１１ｄでは遮られる。遮光層１１ｄの開口部１１ｅは指標部１１ａに対応するものであり、指標部１１ａは、白色層１１ｃによって白色に視認される。遮光層１１ｄの開口部１１ｆは、後述する意匠部４０ｄに対応するものであり、角丸長方形になっている。遮光層１１ｄの開口部１１ｆは、保護パネル部材４０の遮光部４４によって隠されるので、正面視では視認されない。
【００１５】
指針１２は、指示部１２ａ及びボス部１２ｂを有している。指針１２の指示部１２ａは、透光性樹脂からなる基材１２ｃの後面に半透過反射層１２ｄを形成したものであり、表示板１１の指標部１１ａを指示する。指針１２のボス部１２ｂは、指示部１２ａと一体形成されており、ステッピングモータ１３の指針軸１３ａに圧入される。指針１２の指示部１２ａは、回路基板２０に搭載された発光素子２２が発した照明光Ｌを先端部に向けて反射させる傾斜反射面１２ｆを有しており、指示部１２ａは照明光Ｌによって光輝する。
【００１６】
ステッピングモータ１３は、回路基板２０の後面に搭載されている。ステッピングモータ１３の軸受け部１３ｂは、回路基板２０に形成された孔部２０ｂを貫通している。ステッピングモータ１３は指針軸１３ａを有しており、この指針軸１３ａに指針１２のボス部１２ｂが圧入される。ステッピングモータ１３は、回動軸Ａを中心にして指針１２を回動させる。
【００１７】
回路基板２０は、ガラスエポキシ樹脂からなる基材に銅箔からなる配線パターンを形成したものであり、ステッピングモータ１３及び発光素子２２が搭載されている。発光素子２２は、白色発光するトップビュー型のＬＥＤ（Light Emitting Diode）からなるものである。表示板１１は、回路基板２０に搭載された発光素子２２が発した照明光Ｌで透過照明される。回路基板２０，インナーケース５０は、ハウジング６０に収納され、回路基板２０はハウジング６０に固定されている。
【００１８】
液晶表示器３０は、ＬＣＤ（Liquid Crystal Display）パネル３１と、このＬＣＤパネル３１を透過照明するバックライトとを有する液晶表示モジュールである。ＬＣＤパネル３１は、ＴＦＴ（Thin Film Transistor）型液晶表示パネルであり、車両速度，累積走行距離，シフトポジション等の車両情報を表示する。液晶表示器３０は、図示しない可撓性配線部材にて回路基板２０に電気的に接続される。液晶表示器３０は、透光性接着部材９０にて、保護パネル部材４０の後面に貼着されている。液晶表示器３０は、指針１２の回動軸Ａ上に位置している。液晶表示器３０の画像は、保護パネル部材４０の透光性基材４１及び透光性接着部材９０を透して視認される。
【００１９】
保護パネル部材４０は、透光性基材４１と、この透光性基材４１の後面に形成された遮光部４４と、遮光部４４の後面に形成された白色層４６とからなる。透光性基材４１は、アクリル等の透光性樹脂からなるものである。透光性基材４１の後面には遮光部４４が印刷形成されており、この遮光部４４は、円弧状の窓部４４ａと、矩形の窓部４４ｂと、意匠部４０ｄに対応する開口部４４ｃとを有している。
【００２０】
保護パネル部材４０の窓部４４ａは、表示板１１の指標部１１ａ及び指針１２の先端部を視認するためのものであり、正面視では、遮光層１１ｄの開口部１１ｆは視認されない。保護パネル部材４０の窓部４４ｂは、液晶表示器３０の画像を視認するためのものである。保護パネル部材４０の意匠部４０ｄは、指針式計器１０の単位を表わす「×１０００ｒｐｍ」という文字であり、白色層４６によって白色に視認される。保護パネル部材４０の周縁には、枠体７０が配設されている。
【００２１】
インナーケース５０は、白色の樹脂からなるものであり、ハウジング６０に収容されている。インナーケース５０は、発光素子２２が発した照明光Ｌを反射させて表示板１１の後面に導く複数の反射部５１を有している。インナーケース５０の後面には、回路基板２０が保持される。ハウジング６０は、黒色の樹脂からなるものであり、指針式計器１０，回路基板２０，液晶表示器３０を収容している。ハウジング６０の前面には、枠体７０にて保護パネル部材４０が保持されている。枠体７０は、表示板１１の指標部１１ａを正面視で囲む環状装飾部７１と、液晶表示器３０を正面視で囲む矩形装飾部７２とを有している。
【００２２】
図４は、車両用表示装置の電気的構成を示すブロック図である。マイコン８０は、ＣＰＵ８１，不揮発性メモリ８２，揮発性メモリ８３を有している。不揮発性メモリ８２は、例えばフラッシュメモリからなるものであり、揮発性メモリ８３は、例えばＳＤＲＡＭ（Synchronous Dynamic Random Access Memory）からなるものである。速度センサ１０１は、車両速度を検出し、マイコン８０に速度データを出力する。回転センサ１０２は、エンジンの回転数を検出し、マイコン８０に回転数データを出力する。
【００２３】
マイコン８０は、不揮発性メモリ８２に格納されている所定のプログラムに基づいて、ステッピングモータ１３，液晶表示器３０，発光素子２２を駆動する。また、マイコン８０は、表示コントローラ２５を介して、液晶表示器３０を駆動し、液晶表示器３０の画面に車両情報を表示させる。マイコン８０及び表示コントローラ２５は、回路基板２０に搭載されている。
【００２４】
本実施形態は、指標部１１ａを有する表示板１１と、指標部１１ａを指示する指針１２と、指針１２を回動させるステッピングモータ（指針駆動部）１３と、表示板１１を透過照明する照明光Ｌを発する発光素子２２と、表示板１１の前側に配設された保護パネル部材４０と、を備え、保護パネル部材４０は、表示板１１を透過した照明光Ｌによって透過照明される意匠部４０ｄを有するものであり、保護パネル部材４０に設けられた意匠部４０ｄが、表示板１１を透過した照明光Ｌによって透過照明されるため、デザイン性に優れる表示装置となる。
【００２５】
なお、保護パネル部材４０に設けられた意匠部４０ｄは、正面視で指針１２の指示部１２ａの回動領域Ｓ内にあるため、指針１２の指示部１２ａが正面視で意匠部４０ｄに重なったとき、意匠部４０ｄの輝度は若干低くなるが、指針１２の指示部１２ａは透光性であり、照明光Ｌは指示部１２ａを通過できるため、意匠部４０ｄは光輝する。
【００２６】
本発明は、本実施形態に限定されるものではなく、種々の変形が可能である。例えば、本実施形態では、表示器が液晶表示器３０であったが、表示器は有機ＥＬ（Electro Luminescence）表示器であっても良い。また、遮光層１１ｄの開口部１１ｆの形状は、角丸長方形であったが、楕円形または矩形であっても良い。
【符号の説明】
【００２７】
１０    指針式計器
１１    表示板
１１ａ  指標部
１１ｄ  遮光層
１１ｆ  開口部
１２    指針
１３    ステッピングモータ（指針駆動部）
３０    液晶表示器（表示器）
４０    保護パネル部材
４０ｄ  意匠部
【図１】
2018066595.tif 000003
【図２】
2018066595.tif 000004
【図３】
2018066595.tif 000005
【図４】
2018066595.tif 000006